(57)【要約】【課題】クラウドによる経路策定方法を提供する。【解決手段】携帯装置はアプリケーションによりネットワークサーバーに接続され、使用者は携帯装置上で目的地データを編集し、使用者が転送命令を発すると、ステップ２に移行するステップ１、携帯装置が車載装置に接続しているかを検出し、接続している場合、アプリケーションは目的地データを車載装置に転送させ、ステップ４に移行し、未接続の場合、アプリケーションは目的地データをネットワークサーバーに転送させて保存させ、ステップ３に移行するステップ２、使用者が携帯装置を車載装置に接続させ、車載装置がネットワークサーバーに接続され、ネットワークサーバーに保存された目的地データを受信させるとステップ４に移行するステップ３、及び車載装置が目的地データに基づいてナビゲーションを行うステップ４を含む。【選択図】図１
2016061635.tif 000002
【特許請求の範囲】
【請求項１】
ネットワークサーバーから少なくとも１つの携帯装置用アカウント及びマップ用ウェブサイトを有するデータベースが提供され、前記データベースは、各前記携帯装置用アカウントが全て携帯装置の基本データで少なくとも構成される、目的地データを編集するステップ１と、
アプリケーションにより前記携帯装置が車載装置に接続しているか検出させ、前記携帯装置が前記車載装置に接続している場合、前記アプリケーションは前記目的地データを前記車載装置に転送させ、ステップ４に移行する、携帯装置が車載装置に接続しているかを検出するステップ２と、
使用者が前記携帯装置を車両の車載装置に接続させ、前記車載装置が前記携帯装置の基本データを取得し、前記車載装置が前記ネットワークサーバーに接続され、且つ前記携帯装置の基本データが転送されると、前記ネットワークサーバーは前記携帯装置の基本データが対応する携帯装置用アカウントに目的地データが保存されているか検査し、保存されている場合、前記ネットワークサーバーは前記携帯装置用アカウントに保存される前記目的地データを前記車載装置に転送させ、ステップ４に移行する、前記携帯装置が車載装置に接続されるステップ３と、
前記車載装置は前記目的地データに基づいてナビゲーションを行うステップ４を含み、
前記ステップ１は、前記携帯装置は前記アプリケーションにより前記ネットワークサーバーに接続され、使用者は前記アプリケーションを利用して目的地データを編集し、使用者が転送命令を出すとステップ２に移行し、
前記ステップ２は、前記アプリケーションが前記携帯装置が前記車載装置に未接続であることを検出した場合、前記アプリケーションは前記目的地データを前記ネットワークサーバーの携帯装置用アカウントに転送させて保存させ、ステップ３に移行することを特徴とする、
クラウドによる経路策定方法。
【請求項２】
前記ステップ２において、前記アプリケーションが前記目的地データを前記車載装置に転送させた後、前記携帯装置のスクリーンには転送された画面が表示されることを特徴とする、請求項１記載のクラウドによる経路策定方法。
【請求項３】
前記ステップ２では、前記アプリケーションが前記携帯装置が前記車載装置に未接続であることを検出させた場合、前記携帯装置のスクリーンには未接続の画面が表示されることを特徴とする、請求項１記載のクラウドによる経路策定方法。
【請求項４】
前記携帯装置の基本データはマックアドレス或いはＵＵＩＤであることを特徴とする、請求項１記載のクラウドによる経路策定方法。
【請求項５】
前記携帯装置はスマートフォン或いはタブレット端末であることを特徴とする、請求項１記載のクラウドによる経路策定方法。
【請求項６】
前記携帯装置及び前記ネットワークサーバーは３Ｇネットワーク、４Ｇネットワーク、５Ｇネットワーク、Ｗｉ−Ｆｉ(登録商標)、或いはインターネットを通して接続されてデータの転送を行うことを特徴とする、請求項１記載のクラウドによる経路策定方法。
【請求項７】
前記車載装置及び前記携帯装置はＷｉ−Ｆｉ或いはブルートゥース(登録商標)を通して接続されデータの転送を行うことを特徴とする、請求項１記載のクラウドによる経路策定方法。
【請求項８】
前記車載装置は車載機器、カーオーディオ、車載ヘッドアップディスプレイ、或いは衛星ナビゲーション装置のいずれかの一つであることを特徴とする、請求項１記載のクラウドによる経路策定方法。
【請求項９】
前記目的地データは、目的地名称、ＧＰＳ座標、住所、目的地図、注釈のいずれかの一つを含むことを特徴とする、請求項１記載のクラウドによる経路策定方法。
【請求項１０】
前記目的地データは、目的地名称及び住所を含むが、ＧＰＳ座標は含まず、前記車載装置が住所を受信した後、前記車載装置のデータベースと比較して目的地のＧＰＳ座標を解析し、目的地の位置を確定することを特徴とする、請求項１記載のクラウドによる経路策定方法。
【発明の詳細な説明】
【技術分野】
【０００１】
本発明は、カーナビゲーションの方法に関し、より詳しくは、クラウドネットワークを利用してナビゲーションデータを転送する経路策定方法に関する。
【背景技術】
【０００２】
科学技術の発展に伴い、乗用車の装備も進歩し続け、例えば、カーオーディオの発展については、当初はラジオ機能のみしかなかったものの、次第にカセットテープ、ＣＤ、ＤＶＤと対応を拡大し、やがてはカーナビゲーションやブルートゥース(登録商標)機能等も普遍的に普及していった。
【０００３】
なお、カーナビゲーションは車両内に固設され、従来のカーナビゲーションを使用する場合、使用者がまず車両内で目的地を設定した後にナビゲーションを開始する。
【発明の概要】
【発明が解決しようとする課題】
【０００４】
しかしながら、前述した従来のナビゲーションは、使用上多くの部分で改善が必要である。例えば、カーナビゲーションは均しく車両内に装設され、使用者は車内でのみカーナビゲーションを操作して目的地を設定しナビゲーションを実行可能であり、使用者が車内にいない場合、カーナビゲーションを操作して目的地を設定することは不可能である。
また、従来の使用者は乗車後にカーナビゲーションの目的地を設定することを習慣としているが、これでは実際に使用する上で時間が掛かり過ぎ、不便である。
【０００５】
そこで、本発明者は上記の欠点が改善可能と考え、鋭意検討を重ねた結果、合理的設計で上記の課題を効果的に改善する本発明の提案に到った。
【０００６】
本発明は、このような従来の問題に鑑みてなされたものである。上記課題解決のため、本発明は、クラウドによる経路策定方法を提供することを主目的とする。すなわち、使用者が車内にいなくともカーナビゲーションの目的地を設定でき、且つ使用者が乗車前に目的地の設定を完了し、乗車後に即ナビゲーションを開始する。
【課題を解決するための手段】
【０００７】
上述した課題を解決し、目的を達成するために、本発明に係るクラウドによる経路策定方法は、ネットワークサーバーから少なくとも１つの携帯装置用アカウント及びマップ用ウェブサイトを有するデータベースが提供され、前記データベースは、各前記携帯装置用アカウントは全て携帯装置の基本データで少なくとも構成される目的地データを編集するステップ１と、アプリケーションにより前記携帯装置が車載装置に接続しているか検出させ、前記携帯装置が前記車載装置に接続している場合、前記アプリケーションは前記目的地データを前記車載装置に転送させ、ステップ４に移行する、携帯装置が車載装置に接続しているかを検出するステップ２と、使用者が前記携帯装置を車両の車載装置に接続させ、前記車載装置が前記携帯装置の基本データを取得し、前記車載装置が前記ネットワークサーバーに接続され、且つ前記携帯装置の基本データが転送されると、前記ネットワークサーバーは前記携帯装置の基本データが対応する携帯装置用アカウントに目的地データが保存されているか検査し、保存されている場合、前記ネットワークサーバーは前記携帯装置用アカウントに保存される前記目的地データを前記車載装置に転送させ、ステップ４に移行する前記携帯装置が車載装置に接続されるステップ３と、前記車載装置は前記目的地データに基づいてナビゲーションを行うステップ４を含み、ここでは、前記ステップ１は、前記携帯装置は前記アプリケーションにより前記ネットワークサーバーに接続され、使用者は前記アプリケーションを利用して目的地データを編集し、使用者が転送命令を出すとステップ２に移行し、また、前記ステップ２は、前記アプリケーションが前記携帯装置が前記車載装置に未接続であることが検出させた場合、前記アプリケーションは前記目的地データを前記ネットワークサーバーの携帯装置用アカウントに転送させて保存させ、ステップ３に移行することを特徴とする。
【発明の効果】
【０００８】
本発明はクラウドによる経路策定方法を用いて以下に述べる効果を獲得する。本発明によれば、使用者は車外で先に普段身に着けている携帯装置を使用して目的地データを編集し、乗車後に目的地データを直接車載装置に転送する。或いは使用者は車外で先に普段身に着けている携帯装置を使用して目的地データを編集した後、携帯装置が目的地データをネットワークサーバーに転送させ、ネットワークサーバーに保存された目的地データが再度前記車載装置に転送される。使用者は乗車前に目的地の設定を完了でき、乗車後に即ナビゲーションを開始し、再度携帯装置或いは車載装置を使用する必要がなくなる。
【図面の簡単な説明】
【０００９】
【図１】本発明の一実施形態に係るクラウドによる経路策定方法を使用するフローチャート。
【図２】本発明の一実施形態に係るクラウドによる経路策定方法を示す概略図である。
【図３】本発明の一実施形態の携帯装置のスクリーンを示す概略図である。
【図４】本発明の一実施形態の携帯装置のスクリーンを示す概略図である。
【発明を実施するための形態】
【００１０】
以下に図面を参照して、本発明を実施するための形態について、詳細に説明する。なお、本発明は、以下に説明する実施形態に限定されるものではない。
【００１１】
（一実施形態）
以下、本発明の好ましい実施形態のクラウドによる経路策定方法を図面に基づいて説明する。図１及び図２に示すように、ネットワークサーバー４０からは少なくとも１つの携帯装置用アカウント４２及びマップ用ウェブサイト４３を有するデータベース４１が提供され、各携帯装置用アカウント４２は均しく携帯装置２０に対応する基本データ２１を少なくとも含む目的地データを編集する６１ステップ１を含む。
携帯装置２０はアプリケーションによりネットワークサーバー４０に接続される。本実施形態では、アプリケーションはネットワークサーバー４０の専用アプリケーション（ＡＰＰ）であり、使用者はアプリケーションを使用して携帯装置２０上で目的地データ２４を編集する。目的地データ２４は１つの目的地或いは複数の目的地のデータであり、且つ目的地データ２４は目的地名称２４１、名所位置２４２ないしは名所連絡方法２４３、目的地図、注釈等である。名所位置２４２はＧＰＳ座標または住所であり、名所連絡方法２４３は電話番号やＥメールアドレスである。使用者が転送命令を発するとステップ２に移行する。この実施形態においては、使用者が転送キー２３を押すことで転送命令を発する。
【００１２】
この実施形態において、携帯装置２０はスマートフォン或いはタブレット端末である。携帯装置２０の基本データ２１はマックアドレス（ＭＡＣ  ａｄｄｒｅｓｓ）ないしは汎用一意識別子（ＵＵＩＤ）である。携帯装置２０及びネットワークサーバー４０は３Ｇネットワーク、４Ｇネットワーク、５Ｇネットワーク、Ｗｉ−Ｆｉ(登録商標)、或いはインターネット（Ｉｎｔｅｒｎｅｔ）接続等の無線方式によりデータの転送を行う。
【００１３】
携帯装置が車載装置に接続しているかを検出する６２ステップ２では、アプリケーションにより携帯装置２０が車載装置３０に接続しているか検出させ、携帯装置２０が車載装置３０に接続している場合はステップ２Ｃに移行し、携帯装置２０が車載装置３０に接続していない場合はステップ２Ｂに移行する。
【００１４】
目的地データを保存する６２Ｂステップ２Ｂでは、アプリケーションにより目的地データ２４をネットワークサーバー４０の携帯装置用アカウント４２に転送させて保存させ、ステップ３に移行する。
【００１５】
目的地データを車載装置に転送する６２Ｃステップ２Ｃでは、携帯装置２０はアプリケーションにより目的地データ２４を車載装置３０に転送させ、ステップ４に移行する。
【００１６】
この実施形態において、車載装置３０は車載機器、カーオーディオ、車載ヘッドアップディスプレイ、或いは衛星ナビゲーション装置の何れか１つである。且つ、車載装置３０及び携帯装置２０はＷｉ−Ｆｉ或いはブルートゥースを通して接続されてデータの転送を行う。
【００１７】
携帯装置が車載装置に接続される６３ステップ３では、使用者が携帯装置２０を車両の車載装置３０に接続させる。詳しくは、使用者が携帯装置２０を車内まで携帯して、車内の車載装置３０が携帯装置２０の基本データ２１（本実施形態に係る携帯装置２０の基本データ２１はマックアドレス（ＭＡＣ  ａｄｄｒｅｓｓ）或いは汎用一意識別子（ＵＵＩＤ））を取得して、車載装置２０がネットワークサーバー４０に接続され、携帯装置２０の基本データ２１が転送されて、ネットワークサーバー４０は、前記携帯装置２０の基本データ２１が対応する携帯装置用アカウント４２には目的地データ２４が保存されているかを検査し、保存されている場合はステップ３Ｂに移行する。
【００１８】
目的地データを車載装置に転送する６３Ｂステップ３Ｂでは、ネットワークサーバー４０は携帯装置用アカウント４２に保存される目的地データ２４を車載装置３０に転送させ、ステップ４に移行する。
【００１９】
ナビゲーションを行う６４ステップ４では、車載装置３０の表示区３１には目的地データ３３が表示され、目的地データ３３がＧＰＳ座標を含まない場合、車載装置３０が住所を受信させた後、車載装置３０のデータベースと比較して目的地のＧＰＳ座標を解析して目的地の位置を確定し、目的地データ３３に基づいてナビゲーションを行う。
【００２０】
以上は本発明の実施形態に係るクラウドによる経路策定方法の説明である。図２は、本発明の実施形態の実際の使用時の携帯装置２０と車載装置３０との接続関係を表す概略図を示す。
携帯装置２０はスマートフォン或いはタブレット端末であり、携帯装置２０内には携帯装置２０の基本データ２１を有し、携帯装置２０の基本データ２１はマックアドレス（ＭＡＣ  ａｄｄｒｅｓｓ）ないしは汎用一意識別子（ＵＵＩＤ）である。携帯装置２０の表面には表示区２２及び転送キー２３を有し、本実施形態によれば、転送キー２３は仮想キーであり、且つ表示区２２に設置される。表示区２２には目的地データ２４が更に表示され、目的地データ２４は目的地名称２４１、名所位置２４２ないしは名所連絡方法２４３、目的地図、注釈等を含む。名所位置２４２はＧＰＳ座標もしくは住所であり、名所連絡方法２４３は電話番号やＥメールである。使用者は携帯装置２０上で目的地データ２４を編集できる。
【００２１】
携帯装置２０は３Ｇネットワーク、４Ｇネットワーク、５Ｇネットワーク、Ｗｉ−Ｆｉ、或いはインターネット（Ｉｎｔｅｒｎｅｔ）  等の無線方式によりネットワークサーバー４０に接続されると共にデータの転送を行う。携帯装置２０はＷｉ−Ｆｉ或いはブルートゥースを通して前記車載装置３０に接続されると共にデータの転送を行う。
【００２２】
ネットワークサーバー４０からは少なくとも１つの携帯装置用アカウント４２及びマップ用ウェブサイト４３を有するデータベース４１が提供され、携帯装置用アカウント４２は少なくとも携帯装置の基本データを含み、マップ用ウェブサイト４３は一部地域の地図データや世界地図データであり、車載装置３０に表示される。
車載装置３０は車載機器、カーオーディオ、車載ヘッドアップディスプレイ、或いは衛星ナビゲーション装置の何れか１つである。車載装置３０の表面には表示区３１及び転送キー３２を有し、本実施形態では、転送件３２は仮想キーであり、且つ表示区３１に設置される。また、表示区３１には目的地データ３３が更に表示され、目的地データ３３は目的地名称３３１、名所位置３３２ないしは名所連絡方法３３３、目的地図、注釈等を含む。名所位置３３２はＧＰＳ座標もしくは住所であり、名所連絡方法３３３は電話番号或いはＥメールであり、且つ使用者は車載装置３０上で目的地データを編集できる。
【００２３】
マップ用ウェブサイト４３の地図データは携帯装置２０の表示区２２及び車載装置３０の表示区３１に表示される。
【００２４】
しかも、図３に示すように、アプリケーションにより携帯装置２０の目的地データ２４が車載装置３０に転送された後、携帯装置２０の表示区２２には転送された画面２５が表示される。転送された画面２５には図示するように、「車載機器に転送されました」の文字メッセージが表示される。
【００２５】
さらに、図４に示すように、アプリケーションにより携帯装置２０が車載装置３０に未接続であると検出された場合、携帯装置２０の表示区２２には未接続の画面２６が表示される。未接続の画面２６には図示するように、「車載機器に接続されていません。ネットワークサーバーから転送します」の文字メッセージが表示される。
【００２６】
以上、本発明の実施形態について図面を参照して詳述したが、具体的な構成はこの実施形態に限られるものではなく、本発明の要旨を逸脱しない範囲の設計変更等も含まれる。
【符号の説明】
【００２７】
２０    携帯装置
２１    基本データ
２２    表示区
２３    転送キー
２４    目的地データ
２４１  目的地名称
２４２  名所位置
２４３  名所連絡方法
２５    転送された画面
２６    未接続の画面
３０    車載装置
３１    表示区
３２    転送キー
３３    目的地データ
３３１  目的地名称
３３２  名所位置
３３３  名所連絡方法
４０    ネットワークサーバー
４１    データベース
４２    携帯装置用アカウント
４３    マップ用ウェブサイト
６１    目的地データを編集する
６２    携帯装置が車載装置に接続しているかを検出する
６２Ｂ  目的地データを保存する
６２Ｃ  目的地データを車載装置に転送する
６３    携帯装置が車載装置に接続される
６３Ｂ  目的地データを車載装置に転送する
６４    ナビゲーションを行う
【図１】
2016061635.tif 000003
【図２】
2016061635.tif 000004
【図３】
2016061635.tif 000005
【図４】
2016061635.tif 000006